(57)【要約】【課題】配管を確実に閉止でき、高圧条件における耐圧漏洩試験を可能とし、配管への装着が容易で且つ何度も繰り返し使用することのできる高圧用配管閉止治具を提供すること。【解決手段】ロッドの先端側に第１のフランジが設けられ、手前側に第２のフランジが設けられ、前記第１のフランジと第２のフランジの間には、配管径と略等しい径を有する円板状パッキンが、前記ロッドが貫通状態で狭持されており、各パッキンは、弾性体からなり、外側面に表面側が径小となるテーパー加工が施されているとともに、裏面側のパッキン外周の内側には、円状溝が形成されている配管閉止治具とする。【選択図】図１
2010286320.tif 000002
【特許請求の範囲】
【請求項１】
断面円形状の配管内に挿入される配管閉止治具であって、ロッドの先端側に第１のフランジが設けられ、手前側に第２のフランジが設けられ、前記第１のフランジと第２のフランジの間には、配管径と略等しい径を有する円板状パッキンが、前記ロッドが貫通状態で狭持されており、前記円板状パッキンは、弾性体からなり、外側面に表面側が径小となるテーパー加工が施されているとともに、裏面側のパッキン外周の内側には、円状溝が形成されていることを特徴とする配管閉止治具。
【請求項２】
円板状パッキンを複数枚有し、各円板状パッキンは、表裏面が同一方向に一致するように狭持されていることを特徴とする請求項１の配管閉止治具。
【請求項３】
円板状パッキンを複数枚有し、各円板状パッキンは、裏面側がロッド先端側に配置されているものと、表面側がロッド先端側に配置されているものとが組み合わされて狭持されていることを特徴とする請求項１の配管閉止治具。
【請求項４】
ロッド上部は冶具固定用フランジに固定されていることを特徴とする請求項１から３のいずれかの配管閉止治具。
【請求項５】
請求項１から４のいずれかの配管閉止治具を断面円形状の配管内に挿入し、配管内の耐圧試験を行うことを特徴とする耐圧試験方法。
【発明の詳細な説明】
【技術分野】
【０００１】
本発明は、高圧用配管閉止治具に関するものである。
【背景技術】
【０００２】
航空機の燃料給油施設において、ハイドラント方式とよばれる給油システムがある。ハイドラント方式とは、図７に例示すように、貯油タンク１３、ハイドラントポンプ１４、遮断弁などを備えるヘッダーピット１５などを介して、地下埋設されたエプロン配管１でエプロン（駐機場）まで航空燃料を届ける給油システムで、ハイドラントバルブ１６を開くことにより、必要な時にだけ必要なだけの燃料を航空機に給油することができるという特徴がある。
【０００３】
しかしながら、一般的に、ハイドラント方式の給油設備は、図７に例示すように、ヘッダーピット１５から水平に延びるエプロン配管１が複数に分岐し、エプロン配管１に対して垂直方向に延設される立ち上がり配管２を通じて、各所のハイドラントバルブ１６と連結する構造となっている。
【０００４】
そして、この立ち上がり配管２に腐食等の不具合が生じ、改修が必要になった場合、ヘッダーピット間(例えば、１５a−１５ｂ間)の燃料供給システムを停止させる必要がある。一般的な復旧方法の場合は、立ち上がり配管２の溶接を行うために完全に燃料を抜き取る必要がある。燃料の入っているエプロン配管１内に合成ゴム等で出来た円筒形のピグを挿入し、窒素ガスで圧力をかけてエプロン配管１内を移動させることにより燃料を抜き取る。ピグを使用するには、仮設のピグ発射装置とピグ受け取り装置を設置しなければならない。また、耐圧検査範囲がヘッダーピット間(例えば、１５a−１５ｂ間)の範囲となり充填する窒素量も大量になることから、改修、復旧に２週間以上を要する。この期間中に、不具合が生じていないハイドラントバルブ１６は使用できないことから、航空機への燃料供給および運行に支障をきたすことになる。この点は、ハイドラント方式における大きな問題点と考えられていた。
【０００５】
一方、従来から、発電プラントや化学プラントなどでは、大小異なる配管が無数に配設され、重要な配管経路においては、配設後に耐圧試験を実施し、前記配管経路に洩れがないかを確認し、信頼性を確保するようにしている。
【０００６】
図８は、配管耐圧試験の手順を示す説明図である。同図に示すように、配管耐圧試験では、対象となる配管１７の開口端部１８に閉止板１９を装着し、これを同図（２）に示すように溶接固定する。そして閉止板１９を溶接した後は、配管端部１８の反対側（管奥側）より圧力を加え、規定の圧力状態下で配管継ぎ目２０などに漏れ等の障害が無いか確認するようにしている。
【０００７】
しかし上述した配管耐圧試験においては、その実施毎に開口端部１８を溶接により塞がねばならず、その作業の労力と時間は非常に大きなものになっていた。そして溶接作業は熟練を要し、何人でも容易にできるものではなかった。また試験終了後は、溶接した閉止板１９をグラインダ等で取り外すとともに、取り外した閉止板１９を作業員が搬出できるように溶断する必要があった。このため閉止板１９は試験毎に廃棄され、その経済性も問題となっていた。
【０００８】
そこで、上記の問題を解決するため、例えば、特許文献１のような配管耐圧試験用治具が提案されている。この配管耐圧試験用治具は、配管への装着が容易で且つ何度も繰り返し使用することのできるものとされている。
【０００９】
しかしながら、特許文献１の配管耐圧試験用治具は、構造上、同一径の配管に適用されるものであり、且つ低圧条件の耐圧試験に適用されるものである。すなわち、特許文献１の治具の場合には、通常、エプロン配管に求められる異径の配管では装着が不可能であり、また、複雑な構造からなるため、１．０Mpa以上の高圧条件には耐えられず、治具の破損が起こる。さらに、パッキンが固定式であるため、高圧条件では、密閉性が低下してしまうといった問題がある。
【００１０】
その他、同様の耐圧試験用治具としては、例えば、特許文献２、３などの治具も提案されているが、特許文献１と同様に、構造上、同一径の配管に適用されるものであり、且つ、高圧条件に耐え得るものではなく、密閉性にも問題がある。  
【００１１】
また、例えば、特許文献４の耐圧試験用治具は、高圧力に対応可能とされてはいるが、密閉性は必ずしも十分とはいえない。さらに、ピストンの外周にパッキンが固定されていることから、上記特許文献１−３と同様に、異径の配管に対応することはできないという問題があることに加え、カラー、ピストンなどの部材を必要とするため、構造が複雑で、高圧力によって、これらの部材の破損が生じやすいという問題もある。
【００１２】
したがって、一部の異径の立ち上がり配管に不具合が生じた時に、当該立ち上がり配管を確実に閉止することができ、また、短い日数で不具合箇所の修理、配管の交換することができ、続けて、耐圧試験の実施をも可能にする高圧用配管閉止治具は、現状では全く提案されていない。
【先行技術文献】
【特許文献】
【００１３】
【特許文献１】特開2000-65706号公報
【特許文献２】特開平8-94483号公報
【特許文献３】特開平11-241974号公報
【特許文献４】特開平7-140035号公報
【発明の概要】
【発明が解決しようとする課題】
【００１４】
本発明は、ハイドラント方式の給油施設などで燃料が高圧流送される配管や、発電プラントや化学プラントなどの高圧ガス、液体などを流送するための配管を確実に閉止でき、高圧条件における耐圧漏洩試験を可能とし、配管への装着が容易で且つ何度も繰り返し使用することのでき、異径の配管に使用することができる高圧用配管閉止治具を提供することを課題としている。
【課題を解決するための手段】
【００１５】
本発明は、上記の課題を解決するため、第１には、断面円形状の配管内に挿入される配管閉止治具であって、ロッドの先端側に第１のフランジが設けられ、手前側に第２のフランジが設けられ、前記第１のフランジと第２のフランジの間には、配管径と略等しい径を有する円板状パッキンが、前記ロッドが貫通状態で狭持されており、各パッキンは、弾性体からなり、外側面に表面側が径小となるテーパー加工が施されているとともに、裏面側のパッキン外周の内側には、円状溝が形成されている配管閉止治具を提供する。
【００１６】
第２には、円板状パッキンを複数枚有し、各円板状パッキンは、表裏面が同一方向に一致するように狭持されている前記第１の配管閉止治具を提供し、第３には、円板状パッキンを複数枚有し、各円板状パッキンは、裏面側がロッド先端側に配置されているものと、表面側がロッド先端側に配置されているものとが組み合わされて狭持されている前記第１の配管閉止治具を提供し、第４には、ロッド上部は冶具固定用フランジに固定されていることを特徴とする前記第１から３の配管閉止治具を提供する。
【００１７】
さらに、第５には、前記第１から４のいずれかの配管閉止治具を断面円形状の配管内に挿入し、配管内の耐圧試験を行う耐圧試験方法を提供する。
【発明の効果】
【００１８】
本発明は、ハイドラント方式などの高圧条件に対応可能で、確実に配管内の気密性を確保することができ、配管の修理・取替えなど、気密性の確認を容易且つ確実に行うことができる。また、配管への挿入が容易で且つ何度も繰り返し使用することのできるのに加え、パッキンが破損した場合にも容易に取替えることが可能である。さらに、配管径の異なる配管や、圧力条件の変化にも、好適なパッキンを選択することで柔軟に対応することができる。さらに、パッキンの表裏面の向きを変えることで、同一配管内の気密範囲を変更することもできる。
【図面の簡単な説明】
【００１９】
【図１】本発明の高圧用配管閉止治具の構成と使用方法を例示する概要図である。
【図２】（A）は、円板状パッキンの表面図であり、（B）は、（A）における矢視断面図である。
【図３】中央の開口から側端部へ切開された円板状パッキンを例示する表面図である。
【図４】中央の開口から側端部へ切開された円板状パッキンの配管内への挿入方法を示す概略図である。
【図５】耐圧試験の方法を例示する概要図である。
【図６】（A）（B）（C）は、気密範囲の変更方法を例示する概要図である。
【図７】ハイドラント方式についての説明図である。
【図８】従来の耐圧試験の一例を示す概要図である。
【発明を実施するための形態】
【００２０】
本発明の高圧用配管閉止治具の実施形態について、ハイドラント方式における配管を例に説明するが、本発明の高圧用配管閉止治具は、発電プラントや化学プラントなどの高圧ガス、液体などを流送するための配管にも適用可能であり、以下の実施形態に限定されるものではない。
【００２１】
図１は、本発明の高圧用配管閉止治具の構成と使用方法を例示する概要図である。
【００２２】
図１に例示するように、本発明の高圧用配管閉止治具３は、エプロン配管１から立ち上がる断面円形状の立ち上がり配管２内に挿入されることで、立ち上がり配管２を閉止するものである。
【００２３】
具体的には、本発明の高圧用配管閉止治具３は、ロッド４の先端側に第１のフランジ５が設けられ、手前側に第２のフランジ６が設けられ、前記第１のフランジ５と第２のフランジ６の間には、円板状パッキン７が、前記ロッド４が貫通状態で狭持されている。
【００２４】
そして、本発明の高圧用配管閉止治具３を使用する際には、ロッド４の上部は、立ち上がり配管２に溶接固定されたベースフランジ８の上面に固定された冶具固定用フランジ９とナット１０などの固定部材を介して固定されることが好ましい。また、冶具固定用フランジ９は、Ｏリング１１を介在させることでより確実に立ち上がり配管内の機密性を確保することができる。さらに、冶具固定用フランジ９は、プラグ１２を備えていることが好ましく、このプラグ１２から立ち上がり配管２内に窒素ガスなどを規定圧力まで注入することで、配管内の気密性を確認することもできる。
【００２５】
ここで、ロッド４は、所望の高圧条件に耐え得る材料であればよく、例えば、各種の金属材料を使用することができる。また、ロッド４の長さは、所望の配管閉止位置まで到達可能な長さを有していればよく、また、長さ調整が可能な構造であってもよい。具体的には、図１に例示するように、溶接箇所２a部に腐食等が生じ、燃料の漏洩などが確認された場合、この溶接箇所より、配管奥までロッド４を挿入して、立ち上がり配管２を閉止し、溶接箇所２aの修理、立ち上がり配管２の交換等を行うことができる。
【００２６】
第１のフランジ５および第２のフランジ６は、狭持する円板状パッキン７を上下から押さえることで、円板状パッキン７を安定化させ、配管２内への挿入および引き抜きを容易とするもので、円板状パッキン７を挟持した状態で、例えば、ネジなどの固定部材を用いてロッド４と固定することができる。固定部材による固定は、必ずしも強固である必要はなく、挟持される円板状パッキン７が変形および上下動可能な程度に自由度を有していることが好ましい。また、第１のフランジ５は、ロッド４と一体に形成されていてもよい。さらに、第１のフランジ５および第２のフランジ６は、立ち上がり配管２内に挿入可能で、かつ円板状パッキン７を狭持可能な形状であればよいが、好ましくは円板状であり、さらに好ましくは、立ち上がり配管２の入口径Ｄと略等しい大きさの内径Ｄを有する円板状である。また、第１のフランジ５および第２のフランジ６が立ち上がり配管２の内径と略等しい大きさの円板状である場合には、円板状パッキン７が、圧力によって破損した場合に破片が立ち上がり配管２内に飛散するのを防止することもできる。
【００２７】
そして、第１のフランジ５と第２のフランジ６の間には、立ち上がり配管２の径と略等しい径を有する円板状パッキン７が、前記ロッド４が貫通状態で狭持される。円板状パッキン７は、ゴムなどの弾性体からなるが、材料は、耐熱温度を考慮して、適宜選択することができる。例えば、二トリルゴムを使用すれば８０℃、フッ素ゴムを使用すれば２００℃程度の温度に耐え得る。また、パッキン７の厚みも、パッキンの材料、圧力等に応じて、適宜設計し得る。
【００２８】
図２（A）は、円板状パッキン７の表面図であり、図２（B）は、（A）における矢視断面図である。図２（A）（B）に例示するように、円板状パッキン７は、中央に、ロッド４を通すための開口７aが形成されている。この開口７aは、ロッド４が貫通可能な形状であればよく、ロッド４の形状に応じて適宜決定することができる。図２（A）（B）においては、円形の開口７aを例示している。この開口７aは、立ち上がり配管２内が加圧時には、パッキンの変形および第１のフランジによる圧迫により閉塞するため、配管内の気密性に悪影響を及ぼすことはない。
【００２９】
さらに、円板状パッキン７は、図２（B）に例示するように、外側面に表面側が径小となるテーパー部７bを有しているとともに、裏面側のパッキン外周の内側には、円状溝７cが形成されている。
【００３０】
パッキン裏面に円状溝７cが形成されていることで、円板状パッキン７の変形が容易になるため、立ち上がり配管２内にパッキンを挿入し易くなるとともに、エプロン配管１の使用時における第１のフランジ側（矢印方向）からの高圧力によって、円板状パッキン７が、円状溝７cの位置で屈曲、変形し、各パッキンのテーパー部７bが立ち上がり配管２の内壁面に強力に押し付けられることになるため、高圧に対しても確実に管内が閉止され、気密性を確保することができる。
【００３１】
すなわち、本発明の高圧用配管閉止治具３においては、円状溝７cが形成された円板状パッキン７の裏面が、加圧方向と対峙するように配置されることで、円板状パッキン７の変形による管内の閉止を可能としている。したがって、立ち上がり配管２の閉止に使用する場合には、少なくとも１枚、好ましくは２枚以上の円板状パッキン７を、裏面側をロッド４先端側に配置する。円板状パッキン７の枚数は、配管内の圧力に応じて適宜変更することができるが、円板状パッキン７の枚数が多い場合は、より高い密閉性を確保することができる。なお、本発明者らは、パッキン１０枚で、窒素ガス３Mpaに対して十分な気密性を確保することができることを確認している。
【００３２】
また、円板状パッキン７のテーパー部７bの傾斜、大きさ及び円状溝７cの深さ、幅などについても、円形状パッキン７の材質、配管径、圧力等の条件に応じて適宜決定することができる。例えば、円状溝７cの深さ、幅を大きく形成すると、加圧による円板状パッキン７の屈曲も大きくなる。
【００３３】
一方、円板状パッキン７に円状溝７cが形成されていない場合には、加圧による屈曲、変形が不十分で、テーパー部７bによる圧迫がやや弱く、気密性を確保するのが難しい。本発明による高い気密性は、各パッキンのテーパー部７bおよび円状溝７cによる相乗的な効果として実現されるものである。
【００３４】
このように、本発明の高圧用配管閉止治具３は、比較的シンプルな構成であるにもかかわらず、高圧条件にも対応可能で、確実に立ち上がり配管２内の気密性を確保することができる。また、立ち上がり配管２への装着が容易で且つ何度も繰り返し使用することのできるのに加え、パッキン７が破損した場合にも容易に取替えることが可能である。さらに、径の異なる立ち上がり配管２や、圧力条件の変化にも、好適な円板状パッキン７、第１のフランジ５および第２のフランジ６を選択することで柔軟に対応することができる。
【００３５】
また、本発明の高圧用配管閉止治具３は、例えば、ロッド４の先端に第１のフランジ５を設けた後に、ロッド４を通して、適当な枚数の円板状パッキン７を第１のフランジ上５に配置した後、第２のフランジ６を円板状パッキン７の上に固定して組み立てることができ、このようにして組み立てた治具を、立ち上がり配管２内に挿入して所望の位置で使用することができる。
【００３６】
一方、別の方法としては、先端に第１のフランジ５を設けたロッド４を立ち上がり配管２内に挿入した後、ロッド４を介して、所定の枚数の円板状パッキン７を配管内に挿入し、第２のフランジ６で固定することもできる。そして、立ち上がり配管２の内部で治具を組み立てる場合には、円板状パッキン７は、例えば、図３に例示するように、中央の開口から側端部へ切開部７dを有したもの使用することができる。このように切開部７dを有する円板状パッキン７は、例えば、図４の概要図に例示するように、配管入口径が小さく、配管内径が大となっている配管に対して、容易に挿入することを可能とすることができる。すなわち、円板状パッキン７の径を配管内径とほぼ等しくした場合、径小の挿入口から円板状パッキン７を挿入するのは必ずしも容易でなく、一方、円板状パッキン７の径を小さくして配管入口から挿入する場合には、配管内の気密性を確保することが難しい。そこで、円板状パッキン７の径を配管内径とほぼ等しくし、パッキン７の中央の開口から側端部へ切開することで、この切開部７dの捻りによって、円板状パッキン７を径小の配管入口からの挿入を可能とし、挿入後は、パッキン７が元の形状に復帰するため、パッキン径が配管内径と一致し、さらに気密性を高めることができる。なお、円板状パッキン７は、切開部７ｄ同士が互い重ならないようにフランジ５及びフランジ６で狭持することによって切開部７ｄが閉塞するため、配管内の気密性に悪影響を及ぼすことはない。
【００３７】
以上の通り、本発明の高圧用配管閉止治具３は、高圧条件においても、配管内を確実に密閉できることで、例えば、一つの立ち上がり配管２に燃料漏れなどの不具合が発生した場合、一旦燃料供給を停止した後、その立ち上がり配管２の配管の不具合箇所に配管閉止治具３を挿入し、治具挿入位置で確実に立ち上がり配管２を閉止することができるため、応急的に燃料漏れを止めることができる。上記のとおり、一般的な復旧方法によって配管の取替えなどを行う場合、配管の溶接を行うために完全に燃料を抜き取る必要があるため、ハイドラントバルブは使用不可となり、ピグなどを使用する場合には、２週間程度の日数が必要となるが、本発明の配管閉止治具を使用することにより、最小限の燃料抜きとりで修理が可能となるので、不具合の生じていないハイドラントバルブの使用不可日数を大幅に減らすことができる。なお、通常考えられる不具合であれば、３日程度で使用不可となった立ち上がり配管２を復旧させることができる。
【００３８】
さらに、不具合箇所の修復、配管の取替えなどを行った後は、図５に例示するようにパッキン７の表面側をロッド４の先端側に配置した本発明の配管閉止治具を挿入することで、耐圧試験を行うことができる。耐圧試験は、従来の方法でよく、簡便には、例えば、本発明の配管閉止治具３を挿入状態で、立ち上がり配管２にプラグ１２から窒素ガスなどを規定圧力まで加圧して、溶接部の２aにおける漏洩の有無を確認することで、配管内の気密性を確認することができる。
【００３９】
また、本発明の配管閉止治具は、円板状パッキンの表裏面の向きを変えることで、同一配管内の気密範囲を変更することもできる。すなわち、例えば、図６（A）（B）に例示するように、矢印で示す加圧方向に対して、円板状パッキンの裏面が対峙するように円板状パッキンの向きを変更することで、斜線で示す気密領域を、同一配管内で変更することが可能となる。なお、図６においては、図１と同一の符号を省略している。
【００４０】
したがって、本発明の配管閉止治具は、同一配管における複数位置の耐圧試験を行うことができ、これは、例えば、発電プラントや化学プラントなどのように、複雑に配置された配管の耐圧試験において特に有効である。
【００４１】
また、円板状パッキンの表裏面の向きは、全て同じ方向を向いている場合に最も気密性が高いが、すべてのパッキン表裏面を必ずしも同じ方向とする必要はない。すなわち、図６（C）に例示するように、パッキンの表裏面を異なる向きに組み合わせることで、いずれの方向からの加圧にも対応して気密領域を変更可能とすることができるように設計することもできる。したがって、例えば、図１に例示する立ち上がり配管２に円板状パッキン７の表裏面を異なる向きに組み合わせた形態の配管閉止治具３（図６（C））を挿入した場合（図示していない）には、エプロン配管１側から圧力によって立ち上がり配管２が閉止されるため、立ち上がり配管２の不具合にともなう修理・取替えが可能で、立ち上がり配管２修理の後は、そのまま、プラグ１１からガスを導入して、規定圧力における管内の漏洩の有無を確認することができる。
【符号の説明】
【００４２】
１  エプロン配管
２  立ち上がり配管
２a  溶接箇所
３  配管閉止治具
４  ロッド
５  第１のフランジ
６  第２のフランジ
７  パッキン
７a  開口
７b  テーパー部
７c  円状溝
７d  切開部
８  ベースフランジ
９  冶具固定用フランジ
１０  ナット
１１  Ｏリング
１２  プラグ
１３  貯油タンク
１４  ハイドラントポンプ
１５  ヘッダーピット
１６  ハイドラントバルブ
１７  配管
１８  開口端部
１９  閉止板
２０  配管継ぎ目
【図１】
2010286320.tif 000003
【図２】
2010286320.tif 000004
【図３】
2010286320.tif 000005
【図４】
2010286320.tif 000006
【図５】
2010286320.tif 000007
【図６】
2010286320.tif 000008
【図７】
2010286320.tif 000009
【図８】
2010286320.tif 000010
【手続補正書】
【提出日】平成21年7月9日(2009.7.9)
【手続補正１】
【補正対象書類名】図面
【補正対象項目名】図６
【補正方法】変更
【補正の内容】
【図６】
2010286320.tif 000011